(57)【要約】【課題】  一枚ごとに分離された後の原稿の横方向を規制して、原稿のスキューを低減することができるシート材供給装置を提供する。【解決手段】  原稿テーブル１上に積載された原稿を一枚ごとに分離給送するシート材供給装置において、原稿の横幅に合わせて移動する原稿サイドガイド１９の他に、搬送経路上の給紙ガイド板７に搬送方向に対して垂直方向に動作する可動搬送ガイド２２を設け、さらに、原稿サイドガイド１９の位置を検出する検出手段３０を設けるとともに、検出手段３０の検出結果に応じて可動搬送ガイド２２を移動させる制御手段３１を設けた。【選択図】  図３
2006168963.tif 000002
【特許請求の範囲】
【請求項１】
原稿テーブル上に積載された原稿を一枚ごとに分離給送するシート材供給装置において、前記原稿テーブル上の原稿の横幅に合わせて移動する原稿サイドガイドの他に、搬送経路上の給紙ガイド板に搬送方向と直交する方向に移動する可動搬送ガイドを設けたことを特徴とするシート材供給装置。
【請求項２】
請求項１のシート材供給装置において、前記原稿サイドガイドの位置を検出する検出手段を設けるとともに、該検出手段の検出結果に応じて可動搬送ガイドを移動させる制御手段を設けたことを特徴とするシート材供給装置。
【発明の詳細な説明】
【技術分野】
【０００１】
本発明は、原稿テーブル上に積載された原稿を一枚ごとに分離給送するシート材供給装置に関する。
【背景技術】
【０００２】
原稿テーブル上に積載された原稿を一枚ごとに分離給送するシート材供給装置を搭載した画像形成装置が特に大型機、高速機において普及している。
【発明の開示】
【発明が解決しようとする課題】
【０００３】
ところで、シート材供給装置において、原稿テーブル上のサイドガイドによって原稿のスキューを低減する目的で原稿の横方向を規制して給紙動作を行う場合、原稿を分離する段階でスキューが発生しやすく、その後の搬送においてのスキュー低減効果が小さくなることがある。特に、原稿のセット基準が中央でなく片側基準の場合、原稿分離のためのコロ位置が原稿サイズにより異なることになり、原稿の中央から離れるほどスキューが多くなる傾向にある。
本発明では、一枚ごとに分離された後の原稿の横方向を規制して、原稿のスキューを低減することができるシート材供給装置を提供することを目的としている。
【課題を解決するための手段】
【０００４】
上記目的を達成するために、請求項１記載の発明は、原稿テーブル上に積載された原稿を一枚ごとに分離給送するシート材供給装置において、原稿の横幅に合わせて移動する原稿サイドガイドの他に、搬送経路上の給紙ガイド板に搬送方向に対して垂直方向に動作する可動搬送ガイドを設けたシート材供給装置を最も主要な特徴とする。
請求項２記載の発明は、請求項１のシート材供給装置において、原稿サイドガイドの位置を検出する検出手段を設けるとともに、検出手段の検出結果に応じて可動搬送ガイドを移動させる制御手段を設けたシート材供給装置を主要な特徴とする。
【発明の効果】
【０００５】
本発明は、原稿テーブル上に積載された原稿を一枚ごとに分離給送するシート材供給装置において、原稿テーブル上にセットされた原稿の横幅に合わせて移動する原稿サイドガイドの他に、原稿テーブルよりも下流側の搬送経路上の給紙ガイド板に搬送方向と直交する方向に動作する可動搬送ガイドを設け、さらに、原稿サイドガイドの位置を検出する検出手段を設けるとともに、検出手段の検出結果に応じて可動搬送ガイドを移動させる制御手段を設けたことにより、分離動作以降のスキューを低減することができる。
【発明を実施するための最良の形態】
【０００６】
以下、本発明の実施の形態を図面に従って説明する。
図１は本発明の実施の形態に係るシート材供給装置の構成図である。本シート材供給装置（ＡＤＦ）は、原稿テーブルユニット１、底板２、原稿奥ガイド３、原稿セットセンサ４、原稿セットフィラー５、ピックアップローラ６、給紙ガイド板７、底板給紙適正位置センサ８、リバースローラ９、給紙ベルト１０、突き当てセンサ１１、プルアウトローラ１２、中間ローラ１３、読取入口ローラ１４、レジストセンサ１５、読取ローラ１６、読取部（読取位置）１７、読取出口ローラ１８、原稿サイドガイド１９、排紙ローラ２０、排紙トレイ２１、可動搬送ガイド２２、搬送ガイドホームポジションセンサ２３を備える。
原稿は、原稿テーブルユニット１と底板２の上に奥基準で、原稿奥ガイド３に一端を当接してセットされ、原稿サイドガイド１９を原稿の他端に合わせてセットしコピー動作へ移る。原稿は、周知の分離方法で一枚ごとに分離され、原稿束最上面から給紙されることとなる。原稿の分離給紙動作は、図示しないモータで、ピックアップローラ６、給紙ベルト１０、リバースローラ９が駆動されて行われる。分離給紙動作、及びその後の搬送読取動作の詳細は、従来のＡＤＦと同様であるので説明は省略する。
本発明では、分離以降の搬送経路中に可動搬送ガイド２２、及びその可動搬送ガイド２２のホームポジションを検出する搬送ガイドホームポジションセンサ２３をプルアウトローラ１２と中間ローラ１３の中間に配置している。
搬送ガイドホームポジションセンサ２３は、光透過式のフォトセンサで可動搬送ガイド２２に付けられたフィラーを検知できるようになっている。本搬送ガイドホームポジションセンサ２３は、光透過式の代わりに、他の検知手段でもかまわない。
図２は底板、原稿奥ガイド、原稿サイドガイドの位置関係を示す斜視図である。原稿サイドガイド１９は図の両矢印Ａ方向に移動可能であり、使用者が原稿サイズに合わせて、原稿の他端を規制する位置にセットされる。
【０００７】
図３は原稿サイドガイドの位置検出機構を示す回路図である。底板２の下部には、ポテンショメータ３０が配置され、原稿サイドガイド１９に連動してポテンショメータ３０の摺動子が移動する構成になっている。原稿サイドガイド１９に連動した摺動子の出力はＡＤＦを制御するコントローラ（ＣＰＵ）３１に入力される。
コントローラ３１においては、ポテンショメータ３０の分圧された値を図示しないＡ／Ｄ変換器に入力して変換し、変換後のデジタル値をＣＰＵへ入力し、原稿サイドガイド１９の位置を検出する。ポテンショメータ３０の代わりに光学式センサを用いてもよい。
図４は可動搬送ガイドと給紙ガイド板の関係を示す斜視図である。また図５は可動搬送ガイドの駆動機構を示す斜視図である。可動搬送ガイド２２は原稿搬送方向の直角方向に移動が可能な構成になっており、給紙ガイド板７の下部で、図５に示すように、可動搬送ガイド２２とタイミングベルト３２が連結されており、タイミングベルト３２はプーリ３２ａを介して、ステッピングモータ３３にて両矢印Ｂ方向に移動可能となっている。
ステッピングモータ３３はコントローラ３３にて制御される。可動搬送ガイド２２の基準位置を検出するために、可動搬送ガイド２２の下部にフィラー３４を設け、基準位置（ホームポジション）にて、光透過式センサである搬送ガイドホームポジションセンサ２３を遮光する構成となっている。
【０００８】
図６は本発明の実施の形態に係るシート材供給装置の制御動作を示すフローチャートである。まず、原稿がセットされたか否かをチェックする（Ｓ１）。原稿セットにより作動する原稿セットフィラー５が原稿セットセンサ４から離れることにより、原稿がセットされたことを検知できる構成となっている。原稿がセットされていなければ、原稿セットセンサは動作しない。
原稿がセットされた状態で、原稿サイドガイド１９の位置を検出する制御（Ｓ２）を行い、ポテンショメータ３０の分圧値から、原稿サイドガイド１９の位置を計算する。その後、現在の可動搬送ガイド２２の位置を認識しているか判定する（Ｓ３）。
位置が不定の場合、ステッピングモータ３３を駆動して、可動搬送ガイド２２をホームポジションへ移動させる（Ｓ４）。搬送ガイドホームポジションセンサ２３が可動搬送ガイド２２を検出するまで（Ｓ５でＹ）移動を行い、検出時に駆動を停止して（Ｓ６）へ移行する。
ここで、検出した原稿サイドガイド１９の位置と、可動搬送ガイド２２の位置が一致しているか判定を行う（Ｓ６）。一致していない場合は、ステッピングモータ３３を駆動して、ステッピングモータのパルス数に基づいて可動搬送ガイド２２を当該位置へ移動させる（Ｓ７）。その後、原稿の給紙動作が開始されたかどうかのチェックを行い（Ｓ８）、給紙動作が開始されているときは本制御を終了する。給紙動作が開始されていないときは、再度制御の先頭に移行し、原稿サイドガイド位置が変更されていないか確認を行うこととなる。
この結果、一連の制御により、使用者が設定した原稿サイドガイド１９の位置に応じた位置に、搬送経路中の可動搬送ガイド２２を移動して設定することが可能となり、分離動作以降のスキューを低減することができる。
【図面の簡単な説明】
【０００９】
【図１】本発明の実施の形態に係るシート材供給装置の構成図である。
【図２】底板、原稿奥ガイド、原稿サイドガイドの位置関係を示す斜視図である。
【図３】原稿サイドガイドの位置検出機構を示す回路図である。
【図４】可動搬送ガイドと給紙ガイド板の関係を示す斜視図である。
【図５】可動搬送ガイドの駆動機構を示す斜視図である。
【図６】本発明の実施の形態に係るシート材供給装置の制御動作を示すフローチャートである。
【符号の説明】
【００１０】
１  原稿テーブルユニット
７  給紙ガイド板
１９  原稿サイドガイド
２２  可動搬送ガイド
２３  搬送ガイドホームポジションセンサ
３０  ポテンショメータ（検出手段）
３１  コントローラ（制御手段）
【図１】
2006168963.tif 000003
【図２】
2006168963.tif 000004
【図３】
2006168963.tif 000005
【図４】
2006168963.tif 000006
【図５】
2006168963.tif 000007
【図６】
2006168963.tif 000008